(57)【要約】【課題】  １・従来の動力エネルギ−は、水力、風力、火力、電力、原子力、総べてが効率的でなかった。原因は総てが単独で用を成していたからである。  ２・地球温暖化である。原因は火力、原子力だが、核融合を見れば分かるように熱の崇拝者が多いのも原因の１つである。【解決手段】  使用しても変化を起さない、電力、重力、引力、慣性力等を力融合させ使用することを目標とし、２個のモ−タ−を自由性と拘束性に仕立て、交接を持って１体化させ、これをメ−ンとサブの２組作りこのモ−タ−を底辺に設置し、最上段に発電機を固着し、その中間に中間重力槓杆の両端の片方をピンで中間重力槓杆をシャ−シ−に取り付け、片一方に代替引力バネを、そして中央に主力プ−リ−を取り付け、これ等を電力が作動させ、そして電力は重力を生産増産させながら力融合を行い、そして、その行為によって動力エネルギ−を生産増産することができ、上記問題点を解決する事ができる。【選択図】図１
2008128225.tif 000002
【特許請求の範囲】
【請求項１】
モ−タ−にウォ−ムを固着しギア、爪輪と接続、もう１個のモ−タ−後部に減速ギアを固着し減速ギア、爪歯車と接続し爪輪と爪歯車の交接によって１体化し、１方向は自由に回転、逆回転を拘束したメ−ンモ−タ−と、同様に作った、サブモ−タ−との２組を底辺に設置して。その最上段に発電機を取り付ける。その中段に重力を利用する為の中間重力槓杆を設置する。この中間重力槓杆は右端をピンにてシャ−シ−に取り付け、その左端に代替引力バネを取り付ける。中間重力槓槓の中央に主力プ−リ−とその周辺にプ−リ−を取り付ける。これ等を、図１の様にチェ−ンで結び、そして電力で作動させて重力を生産増産させながら、その重力と電力とが力融合を行いながら、動力エネルギ−を生産増産する事ができる様に発明し構成した動力エネルギ−増産機。
【発明の詳細な説明】
【技術分野】
【０００１】  本発明は、電力、重力、引力、慣性力、これ等を力融合させ、動力エネルギ−を増産させる事ができるという、動力エネルギ−増産機に関する。
【背景技術】
【０００２】  核融合は有るが力融合はない。
【発明の開示】
【発明が解決しようとする課題】
【０００３】  従来の、動力エネルギ−は、水力、風力、火力、電力、原子力、総べてが単独で用を成していたので効率的ではなかった。そして、究極とも言われている核融合が開発されようとしている。これもまた、開発費用がかさむ上、成功しても動力としては不向きである。なでなら、熱を上げても、すぐ、その熱を自然界に放出しなければ使い物にならない。これが地球温暖化を招き環境を破壊する。そして、エネルギ−は熱なりという風潮は大半を割らない、本発明は、この点を特に重要視している。しかし、核融合も熱源としての開発であれば言うことは無い。【０００４】  また、この地球上においては、動物、植物が雌雄に別れ子孫を生産増産し、鉱物もまた、運動熱エネルギ−を生産増産して、動植物を養っている。本発明は、これ等に加え、同等に動力エネルギ−を生産増産できる機器を開発して、これをもって動力エネルギ−を生産増産することによって自然を保護し、より豊かな生活環境を作ることを、目的としている者である。
【課題を解決するための手段】
【０００５】  まず、生産増産するにはある種の方程式がある。動物は、雌雄に別れ交接を持って子孫を生産増産し、植物は、これもまた、雄蘂、雌蘂に別れ交接を持って子孫を生産増産し、鉱物もまた、恒星と惑星が自由と拘束を互いに分け与え、そして吸引力、反発力の交接をもって惑星は円または楕円軌道の、永久運動をなして、その運動熱エネルギ−を生産増産して動植物を養っている。本発明の方程式は、鉱物に似た自由と拘束である。まず、２個のモ−タ−を自由性と拘束性に分類する。自由性には減速ギアを多数取り付け、その先端に性器である爪歯車を取り付ける。      拘束性にはウォ−ムギアを取り付け、そのギアに性器である爪輪を取り付ける。そして、爪輪と爪歯車を交接させ１体化させる。これにより、モ−タ−は慣性力を強化することができ、また、回転も一方向は自由であるので、いくらでも自由に速度を速めることができ、反面、逆回転は完璧に拘束することができるので、力融合を可能とさせることができる。【０００６】  そして、発電機の発電時の抵抗力１ｔに対し、５、０ｋｗのモ−タ−を自由性に仕立て，０、５ｋｗのモ−タ−を拘束性に仕立てて１体化させ、これをメ−ンモ−タ−とする。一方、０、５ｋｗのモ−タ−２個を自由性と拘束性に仕立てて１体化させ、これをサブモ−タ−とする。そして、これら４個のモ−タ−は同一回転で無ければならない。そして、ウォ−ムギアの歯数を２７歯とし、１対３の内歯車をもって３段階で加速すればモ−タ−の回転数は毎分１７５５回転となる。【０００７】  そして、本発明は重力を重要問題視している。軽薄短小型では得るエネルギ−と使うエネルギ−が＋−＝０となり何のメリットも無い。重厚長大型では慣性力が強すぎるので、動がし難く止め難い。そこで本発明はニュ−トンが発見した万有引力をバネで再現させ、そして重力を出産させた事である。此れなら、重力を強くも弱くも、又、動きも止めも、非常にし易い。以後このバネを代替引力バネと記す。そして、重力の利用方法として最も重要な事は最上に発電機、中間に重力、真下にモ−タ−を据付ける事である。そして中間に中間重力槓杆を取り付け、それに主力プ−リ−、代替引力強度１０ｋｇのバネを３０本取り付ける。この時、気を付けなければならない事は、中間重力槓杆が水平になった時、代替引力総計が２５０ｋｇになるようにバネを調整して取り付ける。そして真下にモ−タ−を据付ければ発電機は重力を感じ、モ−タ−はその重力を利用することができる。【０００８】  また、慣性力の強化である、この慣性力の強化を最も必要としているのはモ−タ−である。モ−タ−は吸引反発力だけで物を動かしているので荷重に比例したエネルギ−が必要である。ではエネルギ−を最小限にするにはどうすれば良いか、本発明は、モ−タ−に自由と拘束を分け与えているので正の加速があっても負の加速が無いあっても最小限である。従って、これだけでも慣性力を強化することができ、このように環境を整備してその上に重量を使えば。重量による慣性力の強化ができる。また、その重量はモ−タ−のｋｗ数のル−トｋｇの重量を回転子が持っているか否かが問題である。また、回転子が重過ぎた場合は気にすることは無い。軽過ぎたときはフライホイルを取���付け調整する必要がある。【０００９】    そして、ベルトはベルト張器で張る程長いので、プ−リ−に接する面が短かくなる、また、強い重力を利用するのでスリップするベルトは駄目である。チェ−ンはスリップが無いので、その点に関しては良いが騒音という欠点がある。これ等に勝るベルトが有ればそれが最良である。【００１０】  また、本発明は、高速途上でも自由と拘束が同時機能するよう、ウォ−ムギアで減速し、そしてギアで加速している、ここで生まれるロスは大きい。これを解消するには性器の位置が大切である。それには、ウォ−ムギアのギアに接続して爪輪を取り付け、爪歯車、加速ギア、モ−タ−とこのように接続くさせれば、ギアによる加速減速のロスを＋−＝０にすることができる。その上に自由と拘束を手にすることもできる。
【発明の効果】
【００１１】  まず、発電機の発電時の抵抗力１ｔに対し、計６、５ｋｗのモ−タ−電力と重力と慣性力を力融合させ、これを持ってこの発電機を回転させようというのが本発明の主旨である。
では、６、５ｋｗのモ−タ−の力は文献によると約６６３ｋｇに相当する。これだけでは発電機の回転は無理である。しかし、中間重力槓杆に設けている主力プ−リ−を回転さすことはできる。回転すると発電機のチェ−ンを起点として中間重力槓杆は上に持ち上げられる。すると中間重力槓杆の先端に取り付いている代替引力バネは引き伸ばされ、そして、そこに重力が誕生し成長する。そして起点としているチェ−ンが受ける重力が３００ｋｇに成長した時いったん電源を切る。【００１２】  すると、電源を切ったのにもかかわらずそのままの状態でいる。従来のやり方なら元に戻り、また、運転中のモ−タ−は３００ｋｇの重力を維持するのが精一杯である。そしてモ−タ−は重力との戦いとなり、疲れ果てる。そして、重力と回転は、効率を悪くする厄介者扱いされ、やれ軽薄短小型だ、やれ原子力だ、やれ核融合だ、やれ回転より直接エネルギ−を取り出す方が効率的だ、と適材適所に於いて世界を間違った方向へ導いているのが現状である。理論が少しそれたので元に戻すが、そのままの状態でいるのは、これは自由と拘束の拘束力が働いている証拠である。【００１３】  そして、再度電源を入れると３００ｋｇの重力がチェ−ンを引っ張っている、その上に６、５ｋｗのモ−タ−の回転力約６６３ｋｇが加わるが９６３ｋｇで３７ｋｇ足りないので発電機を回転さす事ができない。しかし、モ−タ−の回転力約６６３ｋｇは重力を６６３ｋｇまで成長させる能力を持っている。重力を成長させれば１，３３ｔになるので発電機を回転さすことができる。これを整理して。この拘束力を１ｋｗのサブモ−タ−に専任させ、５，５ｋｗのメ−ンモ−タ−は主力プ−リ−を回転さすのに専任すれば、メ−ンモ−タ−の５６０ｋｇの回転力は、常に重力５６０ｋｇを目標として重力を生産増産させながら、力融合し、１ｔの抵抗力を持つ発電機を安定した姿で回転さすことができる。ちなみにまだモ−タ−側には余裕がある。この余裕が必要である、余裕が電力を多く食わないことをエネルギ−保存の法則が証明してくれるだろう。【００１４】  また、重力は通常に於いては落下力を利用するものであるが、本発明の、重力は代替引力バネによって産み成長させる重力であるので、成長＝上昇させながら電力と力融合させて利用している。従って、メ−ンモ−タ−の電力と重力はいつも対等で同等に近い関係に成ってしまう。従って、サブモ−タ−の電力は余分となるが、倍倍倍に近いネズミ算式の増産を期待することができる。【００１５】  本発明の動力エネルギ−増産機によって永久機関の門前までたどり着ける事ができた。後は、発電機とモ−タ−の効率を上げるのみになった。
【発明を実施するための最良の形態】
【００１６】  本発明の実施の形態を図１〜図４に基づいて説明する。
図１〜図２に於いて、シャ−シ−１の後部底辺にメ−ンモ−タ−３とその右にサブモ−タ−４を固着する。その最上段に発電機２を固着する。シャ−シ−１の前部底辺左端に代替引力バネ６のバネ掛２１を固着する。その上中右寄りにＦ１のチェ−ン張器８のピン１２をシャ−シ−に取り付け、中間重力槓杆５のストッパ−役を兼任させる。その右端のシャ−シ−にバネ掛２１を取り付け、やや上に中間重力槓杆５のピン１２をベアリング１３を介してシャ−シ−に取り付ける。中間重力槓杆５は図の様な形態で中央に主力プ−リ−１０を取り付け、その周辺にＦ４Ｆ５Ｆ６のプ−リ−１１を取り付ける。これ等の右寄りにチェ−ン張器８のピンを取りけ張器にはバネ９とプ−リ−１１を取り付ける。Ｆ２Ｆ３のプ−リ−２個はピンをシャ−シ−に固着させて固定させる。そして、中間重力槓杆の先端に強度１０ｋｇの代替引力バネ６を３０本取り付ける。この時、気を付ける事は、テコの原理を応用しているので、中間重力槓杆が水平になった時、主力プ−リ−の回転軸が５００ｋｇの重力を受けるように代替引力バネを調整して取り付けなければならない。そして最後にシャ−シ−前半上部にキャップ２２を取り付ける。【００１７】  図３〜図４に於いて、図３が示すギアボックス１６を設置する。回転軸１７にウォ−ムギア歯数２７歯のギア１５と爪輪１９を固着する。その回転軸に尚２個のベアリング１３を介してＴ字型のギア受２３を取り付け、Ｔ字型の片方に爪歯車２０を固着して、爪輪と交接させる。もう一方に内歯ギアを固着する。この内歯ギアに３分の１のギアを噛み合せ加速させる。この加速は合計で３段階加速させる。するとモ−タ−の回転数は１７５５回転となる、全てのモ−タ−をこれに統一させる。そして全ての回転軸にベアリング１３を取り付けギアボックス１６に収め油を充填する。そしてギアボックスに蓋をしてその上に、ウォ−ムのモ−タ−を固着する。【００１８】  図４が示す爪歯車２０、爪２４、爪輪１９の関係は本発明の重要なポイントの１つであり、また、性器でも在る。爪輪と爪歯車の間隔を０，３ｍｍとし、爪輪を３枚重ねで４０分割して２０個の爪を内蔵するよう、また図の様にバネ９が入るように製作し、これを２組作り固着する。そして爪歯車の歯数を３９歯としてギア受に固着する。
【実施例】
【００１９】  上記の爪は約１ｍｍ間隔で２個の爪が正確にして確実に働くので、逆回転を完璧に拘束することができる。故に自由は重力に束縛されることなく自由に伸び伸びと主力プ−リ−を回転させ、重力を生み増殖させながら力融合して動力エネルギ−を生産動産する。
【産業上の利用可能性】
【００２０】  可能性が多いにあると思い出願している。が、日本人の性格は解からない。
【図面の簡単な説明】
【００２１】
【図１】  本発明の構造を示した図である。
【図２】  図１の中間重力槓杆のＡ−Ａ線断面図。
【図３】  図１のメ−ンモ−タ−のＢ−Ｂ線後半断面図。
【図４】  爪歯車、爪、爪輪の断面図。
【符号の説明】
【００２２】  ５・・・中間重力槓杆。
６・・・代替引力バネ。
１０・・・主力プ−リ−。
１４・・・ウォ−ム。
１５・・・ギア。
１９・・・爪輪。
２０・・・爪歯車。
２４・・・爪。
【図１】
2008128225.tif 000003
【図２】
2008128225.tif 000004
【図３】
2008128225.tif 000005
【図４】
2008128225.tif 000006